(57)【特許請求の範囲】
【請求項１】
底面板１の周囲に連設した前面板２、後面板３及び一対の側面板４を起立させ、側面板４の前後縁に連設した折曲片５を内側へ折り曲げ、前方の折曲片５の上縁に設けた差込突起１３を、前面板２の上縁から延出した前折片６の基端に沿う差込穴１４に差し込み、後面板３の上縁に連設した蓋８を前面板２の上部まで被せて天面を閉止する包装箱において、前記蓋８に、後面板３に繋がる天面板９、その先端から延びる蓋前板１０及び両側端から延びる一対の蓋側板１１を備え、蓋前板１０の裏面に蓋側板１１から延びる貼着片１２を貼り付け、蓋側板１１が側面板４の外側に、蓋前板１０が前面板２の外側に重なるように蓋８を被せると、前記前折片６の基端に設けた係合突起１５が貼着片１２の切欠部１６に係合して蓋８がロックされるようにし、前記差込穴１４を、前折片６へのコ字状の切込により形成して、前面板２からの前折片６の折り曲げに伴い、前面板２の上端から舌片１８が突出し、蓋８を閉じると、舌片１８が天面板９の蓋前板１０との稜部裏面に当接するようにしたことを特徴とする包装箱。
【発明の詳細な説明】
【０００１】
【発明の属する技術分野】
この発明は、ケーキの収納に適した紙製の包装箱に関するものである。
【０００２】
【従来の技術】
一般に、持ち帰り用にショートケーキを収納する包装箱として、図５に示すようなものが使用されている。
【０００３】
この包装箱では、前面板５１、一対の側面板５２及び後面板５３が継代片５４を介して連設され、前面板５１及び後面板５３の下縁から延出した底板５５と、両側面板５２の下縁から延出した底片５６とを一組ずつ貼り合せ、対向する底板５５同士を噛み合わせて底面が閉止される。
【０００４】
そして、前面板５１の上縁には前折片５７が、両側面板５２の上縁には側折片５８がそれぞれ連設され、これらを内側へ折り曲げ、後面板５３の上縁から延出した蓋板５９の先端に設けた差込片６０を、前折片５７の基端に沿う差込穴６１に差し込んで、天面が閉止される。
【０００５】
このように構成した包装箱は、前面板５１、両側面板５２及び後面板５３が筒状に連設されて周壁をなし、前面板５１及び側面板５２の撓みを前折片５７及び側折片５８が防止しているため、材料として薄手の板紙を用いても、必要な強度が確保される。
【０００６】
【発明が解決しようとする課題】
しかしながら、上記のような包装箱では、ケーキの収納や取り出しを天面の狭い開口から行わなければならず、このとき、ケーキのトッピングが包装箱の周壁上部や手に当たって崩れる恐れがあった。
【０００７】
そこで、この発明は、ケーキを崩すことなく収納し、取り出すことのできる包装箱を提供しようとするものである。
【０００８】
【課題を解決するための手段】
上記課題を解決するため、この発明に係る包装箱は、底面板の周囲に連設した前面板、後面板及び一対の側面板を起立させ、側面板の前後縁に連設した折曲片を内側へ折り曲げ、前方の折曲片の上縁に設けた差込突起を、前面板の上縁から延出した前折片の基端に沿う差込穴に差し込み、後面板の上縁に連設した蓋を前面板の上部まで被せて天面を閉止することとしたのである。
【０００９】
この包装箱では、ケーキの収納に際し、ブランク状態でケーキを底面板に載せてから組み立てることができ、差込突起を差込穴から抜くと、前面板、後面板及び両側面板が倒れるので、ケーキを容易に取り出すことができる。
【００１０】
また、前記蓋に天面板、蓋前板及び一対の蓋側板を備え、蓋前板の裏面に貼着片を貼り付け、前記前折片の基端に設けた係合突起が貼着片の切欠部に係合して蓋がロックされるようにすると、このロックを解除するだけで簡単に蓋を開くことができる。
【００１１】
【発明の実施の形態】
以下、この発明の実施の形態を図１乃至図４に基づいて説明する。
【００１２】
この包装箱のブランクでは、図１に示すように、底面板１の周囲に前面板２、後面板３及び一対の側面板４が連設され、側面板４の前後縁には折曲片５が連設されている。前面板２の端縁には前折片６が、各側面板４の端縁には側折片７がそれぞれ連設されている。
【００１３】
後面板３の端縁には蓋８が連設されており、この蓋８では、後面板３に繋がる天面板９の端縁に蓋前板１０が、両側縁に蓋側板１１がそれぞれ連設され、蓋側板１１の前縁には貼着片１２が連設されている。
【００１４】
また、前面板２に隣接する折曲片５には差込突起１３が、前折片６の基端には差込穴１４及び一対の係合突起１５がそれぞれ設けられ、貼着片１２には切欠部１６が、蓋側板１１には斜折線１７がそれぞれ設けられている。差込穴１４は、前折片６へのコ字状の切込により形成され、その内側が舌片１８とされている。
【００１５】
このブランクは、図２に示すように、貼着片１２を蓋前板１０の裏面に貼り付け、蓋側板１１を斜折線１７に沿って折り曲げた状態で保管しておく。
【００１６】
この状態では、多数のブランクを積み重ね、袋状となった蓋８の部分を順次差し込んで、整然と揃えておくことができる。
【００１７】
そして、ケーキを包装する際には、図３に示すように、１枚のブランクを取り出し、底面板１にケーキＣを載せ、図４に示すように、底面板１から両側面板４を起立させ、前方の折曲片５を内側へ折り曲げ、前面板２を起こして、前折片６を内側へ折り曲げ、差込突起１３を差込穴１４に差し込む。前面板２からの前折片６の折り曲げに伴い、前面板２の上端から舌片１８が突出する。
【００１８】
その後、後方の折曲片５を内側へ折り曲げ、後面板３を起立させ、蓋側板１１が側面板４の外側に、蓋前板１０が前面板２の外側に重なるように蓋８を被せ、天面板９で天面を閉止する。このとき、係合突起１５が切欠部１６に係合して蓋８がロックされる。また、舌片１８が天面板９の蓋前板１０との稜部に当接する。
【００１９】
このような包装箱では、埃が入る隙間がないので、ケーキを衛生的に持ち運ぶことができる。
【００２０】
そして、ケーキを取り出す際、蓋前板１０を手前に引いてロックを解除し、蓋８を開け、前折片６を立てて、差込穴１４から差込突起１３を抜くと、図３に示すように、前面板２、後面板３及び両側面板４が倒れてブランクに戻るので、トッピングを崩すことなく、ケーキＣを容易に取り出すことができる。
【００２１】
また、このようにブランクに戻った包装箱は、ケーキＣを取り出した後、簡単に折り畳んで廃棄することができる。
【００２２】
【発明の効果】
以上のように、この発明に係る包装箱では、ケーキの収納に際し、ブランク状態でケーキを底面板に載せてから組み立てることができ、差込突起を差込穴から抜くと、前面板、後面板及び両側面板が倒れるので、ケーキを容易に取り出すことができる。
【００２３】
また、前面板上部の係合突起が蓋裏の切欠部に係合して蓋がロックされるようにすると、このロックを解除するだけで簡単に蓋を開くことができる。
【図面の簡単な説明】
【図１】この発明に係る包装箱のブランクを示す図
【図２】同上の保管状態を示す斜視図
【図３】同上の包装・解包過程を示す斜視図
【図４】同上の包装状態を示す斜視図
【図５】従来の包装箱の斜視図
【符号の説明】
１  底面板
２  前面板
３  後面板
４  側面板
５  折曲片
６  前折片
８  蓋
９  天面板
１０  蓋前板
１１  蓋側板
１２  貼着片
１３  差込突起
１４  差込穴
１５  係合突起
１６  切欠部
１８ 舌片
【図１】
0004718039.tif 000002
【図２】
0004718039.tif 000003
【図３】
0004718039.tif 000004
【図４】
0004718039.tif 000005
【図５】
0004718039.tif 000006